(57)【要約】【課題】静電誘導による帯電を抑制することができ、湿潤時の溶損を防止できる落雪防止ネットを提供する。【解決手段】高電圧設備２の周りを囲うための網地３を備えた落雪防止ネット１において、上記網地３を構成する網糸４のうちの少なくとも１本を、主繊維５と金属線６とが合わされた金属配合網糸７から形成し、その金属配合網糸７の金属線６にアース線８を接続したものである。【選択図】図１
2011006996.tif 000002
【特許請求の範囲】
【請求項１】
高電圧設備の周りを囲うための網地を備えた落雪防止ネットにおいて、
上記網地を構成する網糸のうちの少なくとも１本を、主繊維と金属線とが合わされた金属配合網糸から形成し、その金属配合網糸の金属線にアース線を接続したことを特徴とする落雪防止ネット。
【請求項２】
上記網地が、上記主繊維と上記金属線とを撚り合わせると共に、無結節で編網して形成された請求項１記載の落雪防止ネット。
【請求項３】
上記網地が、上記主繊維をラッセルで編網して形成されたラッセル網に上記金属線を挿入して形成された請求項１記載の落雪防止ネット。
【請求項４】
上記主繊維が合成樹脂繊維からなり、上記金属線が銅線からなる請求項１から３いずれかに記載の落雪防止ネット。
【請求項５】
上記金属配合網糸の端部から上記金属線が引き出されると共に、その金属線に上記アース線を接続するための端子が設けられた請求項１から４いずれかに記載の落雪防止ネット。
【請求項６】
上記高電圧設備が送電用鉄塔であり、
上記網地が上下方向に長い矩形状に形成され、
上記網糸が、上下方向に延びる複数のタテ糸と水平方向に延びる複数のヨコ糸とを有し、上記ヨコ糸のうちの少なくとも１本が上記金属配合網糸から形成された請求項１から５いずれかに記載の落雪防止ネット。
【請求項７】
高電圧設備の周りを囲うための網地を備えた落雪防止ネットにおいて、
上記網地を構成する網糸のうちの少なくとも１本を、主繊維と導電性有機繊維とが合わされた導電性網糸から形成したことを特徴とする落雪防止ネット。
【発明の詳細な説明】
【技術分野】
【０００１】
本発明は、送電用鉄塔などの高電圧設備の周りを囲うための落雪防止ネットに関するものである。
【背景技術】
【０００２】
一般に、送電用鉄塔などでは冬季に鋼材に雪や氷が付着し、その付着した雪や氷が成長して塊となることがあり、その付着した塊が高所から落下する際に鉄塔の周囲に飛散する虞がある。
【０００３】
そこで、従来、鉄塔に雪や氷が付着することを防止するための着雪防止装置が提案されている（例えば、特許文献１参照）。
【先行技術文献】
【特許文献】
【０００４】
【特許文献１】特開平５−２６３５５１号公報
【発明の概要】
【発明が解決しようとする課題】
【０００５】
しかし、上述の着雪防止装置を設けた場合でも、万が一に付着を防止できなかったときには鉄塔から塊が落下する可能性がある。
【０００６】
そこで、本願発明者らは、鉄塔に付着した塊が落下する範囲を限定するために、鉄塔の周りをネットで囲うことを検討した。
【０００７】
しかし、送電線近傍に張られたロープ・ネット等は静電誘導により帯電することから湿潤時に溶損が発生する虞があった。
【０００８】
静電誘導（せいでんゆうどう；Electrostatic induction）とは帯電した物体を導体に接近させることで、帯電した物体に近い側に、帯電した物体とは逆の極性の電荷が引き寄せられる現象。導体中を実際に電荷が移動することで引き起こされる。このとき、電荷は導体内の電位差を打ち消すように移動するため、導体内部は等電位となる。良く似た現象に誘電分極があり、こちらは誘電体の場合に起きる現象である。
【０００９】
（１）送電線や変電所等の高電圧設備の近傍に設置されるロープの場合、湿潤したロープは、電気設備からの静電誘導に対して導体として振る舞い、ロープを接地するとロープと同一径の導体と同じ大きさの静電誘導電流が流れる。これはネットの場合も同様と考えられる。
【００１０】
（２）湿潤ロープ・ネットを流れる静電誘導電流は両端に近づくほど大きくなり、両端の取付点からは誘導される全静電誘導電流の各１／２が流出される。
【００１１】
（３）送電線や変電所等の高電圧設備の近傍における湿潤ロープ・ネットの溶損現象はこの静電誘導電流に起因し、同電流が最大となるロープ端近傍で溶損が生じる。
【００１２】
（４）湿潤ロープ・ネットが溶損しない溶損限界電流は周辺高電圧設備の電圧が高いほど小さくなり５００ｋＶの高電圧ではナイロンロープが１ｍＡ前後、アラミドロープでは、５ｍＡ前後となる。この溶損限界電流の一例を表１に示す。
【００１３】
【表１】
2011006996.tif 000003
【００１４】
以上（１）−（４）で述べたように、送電線などの近傍にネットを設けた場合には、そのネットが湿潤したときに静電誘導により帯電し、その帯電したネットが鉄塔に接触することでネットの電荷（静電気）が一気に放電されてネットが溶損してしまうという問題があった。
【００１５】
そこで、本発明の目的は、上記課題を解決し、静電誘導による帯電を抑制することができ、湿潤時の溶損を防止できる落雪防止ネットを提供することにある。
【課題を解決するための手段】
【００１６】
上記目的を達成するために本発明は、高電圧設備の周りを囲うための網地を備えた落雪防止ネットにおいて、上記網地を構成する網糸のうちの少なくとも１本を、主繊維と金属線とが合わされた金属配合網糸から形成し、その金属配合網糸の金属線にアース線を接続したものである。
【００１７】
上記網地が、上記主繊維と上記金属線とを撚り合わせると共に、無結節で編網して形成されたものでもよい。
【００１８】
上記網地が、上記主繊維をラッセルで編網して形成されたラッセル網に上記金属線を挿入して形成されたものでもよい。
【００１９】
好ましくは、上記主繊維が合成樹脂繊維からなり、上記金属線が銅線からなるものである。
【００２０】
好ましくは、上記金属配合網糸の端部から上記金属線が引き出されると共に、その金属線に上記アース線を接続するための端子が設けられたものである。
【００２１】
好ましくは、上記高電圧設備が送電用鉄塔であり、上記網地が上下方向に長い矩形状に形成され、上記網糸が、上下方向に延びる複数のタテ糸と水平方向に延びる複数のヨコ糸とを有し、上記ヨコ糸のうちの少なくとも１本が上記金属配合網糸から形成されものである。
【００２２】
上記目的を達成するために本発明は、高電圧設備の周りを囲うための網地を備えた落雪防止ネットにおいて、上記網地を構成する網糸のうちの少なくとも１本を、主繊維と導電性有機繊維とが合わされた導電性網糸から形成したものである。
【発明の効果】
【００２３】
本発明によれば、静電誘導による帯電を抑制することができ、湿潤時の溶損を防止できるという優れた効果を発揮するものである。
【図面の簡単な説明】
【００２４】
【図１】図１は、本発明に係る一実施形態による落雪防止ネットの概略図である。
【図２】図２は、図１のＩＩ部拡大図である。
【図３】図３は、鉄塔上部の概略側面図であり、本実施形態に係る落雪防止ネットを鉄塔に取り付けた状態を示す。
【図４】図４は、他の実施形態に係る落雪防止ネットの概略図である。
【図５】図５は、鉄塔下部の概略側面図であり、他の実施形態に係る落雪防止ネットを鉄塔に取り付けた状態を示す。
【図６】図６は、変形例に係る落雪防止ネットの概略側面図である。
【発明を実施するための形態】
【００２５】
以下、本発明の実施形態を添付図面に基づいて詳述する。
【００２６】
［第１の実施形態］
本実施形態の落雪防止ネット（以下、ネットという）は、例えば送電用鉄塔（以下、鉄塔という）など高電圧設備を対象とする。
【００２７】
図１から図３に基づき本実施形態のネットと鉄塔の概略構造を説明する。
【００２８】
図３に示すように、鉄塔２は、地上（基礎部）から上方に延びる鉄塔本体２１と、その鉄塔本体２１の上部に設けられた３つのアーム２２−２４とを備える。鉄塔本体２１は、主柱材２１１、水平材２１２や斜材２１３などを組み合わせてなり、断面がほぼ正方形に形成される。アーム２２−２４は、上下に間隔を隔てて配置され、各アーム２２−２４の先端には送電線２５が各々保持される。その送電線２５（充電部）の周りには、静電誘導による静電気が発生しやすい領域Ｅが形成される。
【００２９】
この鉄塔２の上部に、本実施形態のネット１が設置される。ネット１は、矩形状に形成され、鉄塔本体２１の頂部（上端）から最も下側のアーム２４よりも下方の高さ位置まで、上下（鉛直方向）に並べて配置される。それらネット１は、同じ高さ位置の４つのネット１が、鉄塔本体２１の周囲を上方から視てほぼ正方形に囲うように配置される。ネット１は、例えば、鉄塔本体２１の水平材２１２などに取り付けられる。
【００３０】
そのネット１は、静電気が発生し難い防護ネットであって、図１および図２に示すように、ネット１の網地３を編網するときに、導電性を有する金属線６を主繊維５と同時に編み込んだものである。詳しくは後述するが、本実施形態のネット１は、網地３が無結節網で形成された無結節ネットであり、網地３を編網する際に網糸４に少なくとも１本の静電性（導電性）を有する金属線６を同時に配して編網し、その金属線６（金属繊維）を配合した網地３を所定の形状に仕立てた後、網地３の端に露出した金属端子８１に、別の金属線（アース線８）を結合し、そのアース線８を鉄塔２にアースしたものである。このネット１は、送電用の鉄塔２に用いられて静電気の発生の大きい鉄塔２の上部（アーム２２−２４の近傍）に設置される。
【００３１】
本実施形態のネット１は、鉄塔本体２１の周りを囲うための網地３を構成する網糸４のうちの少なくとも１本を、主繊維５と金属線６とが合わされた金属配合網糸７から形成し、その金属配合網糸７の金属線６にアース線８を接続したものである。
【００３２】
より具体的には、ネット１は、複数の網糸４から構成され外形が矩形（図例では上下に長いほぼ長方形状）の網地３と、その網地３の縁部に設けられた周囲ロープ３１と、上記アース線８とを備える。
【００３３】
網地３は、ほぼ正方形状の網目形状を有し、その網糸４が上下方向に延びるタテ糸４１と左右（水平方向）に延びるヨコ糸４２とからなる。詳しくは後述するが、ヨコ糸４２のうちの複数本が金属配合網糸７からなる。
【００３４】
本実施形態の網地３は、無結節で編網された無結節網であり、例えば、網地３のタテ糸４１とヨコ糸４２とは、各々２本の撚糸から形成され、交差部４４にてタテ糸４１（ヨコ糸４２）の撚糸が交差する相手のヨコ糸４２（タテ糸４１）の撚糸の間を通るように撚られている。
【００３５】
タテ糸４１（撚糸）は、複数本の主繊維５の束から形成される。その主繊維５は合成樹脂繊維であり、好ましくはポリエステル繊維、ポリエチレン繊維、スーパー繊維などからなる。本実施形態の主繊維５は、電気絶縁性を有するポリアリレート繊維であり、例えば株式会社クラレ製のベクトランからなる。
【００３６】
ヨコ糸４２は、上記タテ糸４１と同様に主繊維５のみで形成される主ヨコ糸４３と、上記金属配合網糸７とからなる。金属配合網糸７は、上下に所定の間隔を隔てて、かつ複数本の主ヨコ糸４３と交互に配置される。図例では上から順に２本の主ヨコ糸４３と１本の金属配合網糸７とが交互に配置される。
【００３７】
図２に示すように、金属配合網糸７は、一方の撚糸が複数本の主繊維５の束から形成され、他方の撚糸が主繊維５の束に少なくとも１本の金属線６を組み合わせて引き揃えた束から形成される。金属配合網糸７の主繊維５は、タテ糸４１の主繊維５と同じ材料からなり、金属線６は導電性を有する金属の線材（針金）、例えば銅線からなる。
【００３８】
各金属配合網糸７は、左右いずれかの端部から金属線６が各々引き出され、それら引き出された金属線６が、後述する共同線８２に各々接続され、その共同線８２を介してアース線８に接続される。
【００３９】
以上の網地３は、網目の大きさが、約１ｃｍ以上約１０ｃｍ未満に設定される。これは、網目の大きさが約１ｃｍ未満の場合、ネット１（鉄塔２）にかかる風圧荷重が大きくなるためであり、約１０ｃｍを超えると、雪や氷の塊がネット１をすり抜けてしまう虞があるためである。
【００４０】
この網地３の周囲が周囲ロープ３１により囲われる。その周囲ロープ３１は、網地３を縁取るように矩形（図例ではほぼ長方形）の枠体状に形成される。周囲ロープ３１と網地３とは、例えば網地３の網糸４（タテ糸４１とヨコ糸４２）の端部を周囲ロープ３１に巻き付け結束することで、互いに結合される。周囲ロープ３１は、網地３の主繊維５と同じ材料からなり、その主繊維５を撚り合わせて形成される。
【００４１】
この周囲ロープ３１には、金属配合網糸７から引き出された金属線６をアース線８に接続するための共同線８２が設けられる。その共同線８２は、周囲ロープ３１の左右のいずれかの辺に沿って上下に延び、その中間部に、金属配合網糸７の金属線６の端部が各々接続される。図例の共同線８２は、最も上側の金属配合網糸７から最も下側の金属配合網糸７まで延びる。共同線８２は、例えば、周囲ロープ３１に撚り合わされた金属線（銅線など）からなる。その共同線８２は、下端が周囲ロープ３１から引き出されると共に、その下端にアース線８を接続するための端子８１が取り付けられる。
【００４２】
アース線８は、例えば、絶縁体で被覆された導体線からなる。アース線８は、一端が端子８１に接続され、他端が鉄塔２に接続される。この鉄塔２およびアース線８を介してネット１がアース（対地へ接地）される。
【００４３】
次に、図１および図３に基づき本実施形態のネット１の作用を説明する。
【００４４】
図３に示すように、本実施形態のネット１は、例えば冬季など積雪の虞がある時期に鉄塔２に設置され、アーム２２−２４の近傍の鉄塔本体２１を外周から囲う。
【００４５】
その鉄塔本体２１には、雪や氷が付着、成長して塊となり、その塊が日中など気温が上昇したときに鉄塔２から剥がれて落下する。その際に、鉄塔本体２１がネット１により覆われることから、鉄塔本体２１から剥がれた塊はネット１よりも内側（鉄塔２側）に落下することになり、落下する塊による鉄塔２周辺への落下が防止される。
【００４６】
ここで、雪や氷が溶解してネット１が湿潤すると、送電線２５の近傍では送電線２５に印加されている高電圧により静電誘導が起きる可能性があるが、本実施形態では、ネット１の網地３を金属配合網糸７から構成すると共に、その金属配合網糸７の金属線６にアースを取っているので、ネット１が帯電することがない。
【００４７】
そのため、ネット１が風などに煽られて鉄塔本体２１に接触したとしても、放電が生じることがなくネット１が溶損することがない。
【００４８】
このように本実施形態によれば、静電誘導による帯電を抑制することができ、湿潤時の溶損を防止できる。
【００４９】
すなわち、本実施形態の、優れた静電性を有する（帯電し難い）ネット１は、主に送電線２５の鉄塔２に使用され、鉄塔２に積雪または氷結した物体を鉄塔２周辺に落下させないために設置される。その鉄塔２の送電線２５付近では静電気が発生しやすく、絶縁されたネットを使用した場合には、そのネットが湿潤により帯電した状態で鉄柱に接触した際に、ネットに発生した静電気がスパーク（放電）する場合がみられる。これに対して、本実施形態のネット１は、アース線８によりアースすることにより静電気を取り除くのでスパークを発生させない。その結果、湿潤した場合であってもネット１が溶損することがない。
【００５０】
その他にも、網地３を無結節で編網しているため、網地３を容易に製造することができ、かつ軽量化や信頼性の向上を図ることができる。すなわち、例えば網地を有結節で編網する場合には、結び目ができることから、その結び目で金属線６が屈曲して断線してしまう虞がある。これに対して、本実施形態では、結び目がないため金属線６が過度に屈曲することなく断線の虞がない。その結果、ネット１が確実にアースされることになり信頼性を向上させることができる。
【００５１】
金属線６を、アルミ線などに比べて高い導電性と強度（引張強度や繰り返し曲げ強度）を有する銅線から形成することで、ネット１の強度、耐久性を高めることができる。また、主繊維を合成樹脂繊維から形成することで、これによってもネット１の強度、耐久性を高めることができる。
【００５２】
金属線６にアース線を接続するための端子８１を設けることで、アース線８と金属線６との接続を容易に行うことができる。その結果、鉄塔２における高所作業の作業性を向上させることができる。
【００５３】
金属配合網糸７をヨコ糸４２とすることで、送電用鉄塔２での電気事故をより確実に防止することができる。すなわち、ネット１の囲繞対象が送電用鉄塔２である場合、その送電用鉄塔２が上下に長いことから、網地３も上下に長く形成されタテ糸４１がヨコ糸４２よりも長くなる。このような場合に、本実施形態では、金属配合網糸７をヨコ糸４２としているので、タテ糸４１とする場合に比べて、金属配合網糸７（金属線６）の長さが短くなる。そのため、万が一にネット１が送電用鉄塔から外れて送電線に接触しても、金属線６が短いので電気事故が生じる虞がない。また、金属線６の長さが短くなるので、金属線６の断線が発生し難くなりネット１の信頼性を向上させることができる。
【００５４】
なお、上述の実施形態では、網地３が主繊維５と金属線６とを撚り合わせると共に無結節で編網した無結節網からなるが、これに限定されず、主繊維５をラッセルで編網してラッセル網を形成し、そのラッセル網の網糸に沿って金属線６を取り付けて網地３を形成してもよい。金属線６は、例えば、網糸（ヨコ糸）に沿って網糸内に金属線６を挿入することで取り付けられる。
【００５５】
このラッセルネットの場合、ラッセル機で網地（ラッセル網）を仕立てた後に、導電性を有する少なくとも１本の金属線６が網糸４に一定間隔で配置される。その金属線６は、編網されたラッセル網のタテ糸４１とヨコ糸４２とのいずれか一方または両方に挿入される。例えば、金属線６はラッセル網を編網した後に手すきで挿入される。この場合には、金属線６が挿入されたタテ糸４１またはヨコ糸４２が金属配合網糸７をなす。また、ネット１は、網地３を主繊維５で編網して所定の形状に仕立てた後に、静電性を有する金属線６、８２を網糸４と周囲ロープ３１とに配置したものも使用できる。
【００５６】
このラッセルネットも結び目がないことから、上述の無結節網と同様に軽量化や信頼性の向上を図ることができる。
【００５７】
［第２の実施形態］
次に、図４および図５に基づき第２の実施形態を説明する。本実施形態の落雪防止ネットは、上述の第１の実施形態とは、網糸４が金属線６の替わりに導電性有機繊維を有する点とアース線８が省略される点とで異なり、その他は実質的に同じである。したがって、上述の第１の実施形態と同一の要素については、図中同一符号を付すに止め、詳細な説明は省略する。
【００５８】
図４に示すように、本実施形態のネット１１は、高電圧設備である鉄塔２の周りを囲繞するための網地３を備え、その網地３を構成する網糸４のうちの少なくとも１本が、主繊維５と導電性を有する有機繊維（以下、導電性有機繊維という）とが合わされた導電性網糸９から形成される。
【００５９】
本実施形態では、第１の実施形態と同様に、網地３は、主繊維５と導電性有機繊維とを撚り合わせて無結節で編網するか、または主繊維５をラッセルで編網したラッセル網に導電性有機繊維を挿入して形成される。その網地３における複数のヨコ糸４２が導電性網糸９で形成される。
【００６０】
その導電性網糸９の導電性有機繊維としては、ポリエステル繊維、ポリアミド繊維、ポリエチレン繊維、ポリプロピレン繊維およびスーパー繊維などの有機繊維にカーボンを配合したものが考えられる。
【００６１】
また、ネット１１は、第１の実施形態のネット１に比べて送電線２５から離れた比較的電界の弱い位置に設置される。具体的には、図５に示すように、ネット１１は、最も下側のアーム２４よりも所定距離だけ下方の位置から地上近傍まで配置される。
【００６２】
本実施形態のネット１１によれば、ネット１１が湿潤して静電誘導が生じる場合でも、その静電誘導による電荷が導電性有機繊維によりコロナ放電され、ネット１１が帯電することがない。その結果、ネット１１の溶損が防止される。またネット１１は、第１の実施形態のネット１に比べて構造が単純であり安価に製造できる。
【００６３】
ここで、上述の第１の実施形態のネット１と第２の実施形態のネット１１とは、静電気の発生の大きさによって設置位置を選択することが好ましい。
【００６４】
すなわち、図５に示すように、送電線２５から離れており静電気の発生が少ないところでは、導電性有機繊維を有する第２の実施形態のネット１１を配置することで、第１の実施形態のネット１に比べて設置コストの低減を図ることができる。
【００６５】
他方、送電線２５に近く静電気の発生の大きいところには金属線６を有する第１の実施形態のネット１を配置する。この第１の実施形態のネット１は、上述したように金属線６をアースすることによって、第２の実施形態のネット１１よりも更に効率よく静電気を除去することが可能となっているので、確実にネット１の溶損を防止できる。
【００６６】
このように、金属線６または導電性有機繊維を有するネット１、１１を、静電気の発生度合いによって自由に配置でき、設置コストの低減と溶損の確実な防止とを図ることができる。なお、第１の実施形態のネット１と第２の実施形態のネット１１との設置位置の境界は、送電線２５からの距離や電界強度などを基に決定される。例えば、電圧が６６０００Ｖの送電線の場合、送電線２５からの距離が約４ｍ以内では第１の実施形態のネット１を設置し、約４ｍを超えると第２の実施形態のネット１１を設置することが考えられる。
【００６７】
次に、表２に基づき本発明に係る具体的な実施例を説明する。
【００６８】
（実施例１）
１６７０デシテックスの全芳香族ポリエステル繊維（クラレ社製ベクトラン）１８本をタテ*ヨコ糸とし、網糸として４６０デシテックスのポリエステルを使用したラッセル網地のヨコ糸に金属線として直径１．０ｍｍの針金を同時に配合して１辺３７ｍｍのラッセル網地を得た。そのラッセル網地の端から針金を引き出し、その針金に別の金属線からなるアース線を接続し、そのアース線をアースした。
【００６９】
（実施例２）
１６７０デシテックスの全芳香族ポリエステル繊維（クラレ社製ベクトラン）を１８本として編網した、無結節網地のなかに１本の導電性を有する有機繊維を配合して編網し、１辺が３７ｍｍの無結節網地を得た。
【００７０】
（比較例１）
針金にアース線を接続しないこと以外は、実施例１と同様のラッセル網地とした。
【００７１】
（比較例２）
導電性を有するポリエステル繊維を配合しないこと以外は、実施例２と同様の無結節網地をとした。
【００７２】
評価は、ＪＩＳ  Ｌ−１０９４の摩擦帯電減衰測定方法にて測定した。
【００７３】
【表２】
2011006996.tif 000004
【００７４】
表２に示すように、実施例１は帯電圧が２．０ｋＶであり、実施例２は帯電圧が１．６ｋＶであり、ともに良好な静電性を示すことが確認できた。また、実施例１は、比較例１の帯電圧７．１ｋＶに比べて帯電圧が低くアースにより帯電し難くなることが確認できた。実施例２は、比較例２の帯電圧７．６ｋＶに比べて帯電圧が低く導電性有機繊維により帯電し難くなることが確認できた。
【００７５】
なお、本発明は、上述の実施形態に限定されず、様々な変形例や応用例が考えられるものである。
【００７６】
例えば、高電圧設備は、送電用の鉄塔に限定されず、変電所など様々なものが考えられる。
【００７７】
上述の実施形態では、金属配合網糸または導電性網糸をヨコ糸としたが、これに限定されず、タテ糸、またはタテ糸とヨコ糸との両方としてもよい。
【００７８】
網地の形状は、上下に長い長方形状や正方形状などに限定されず、様々形状が可能である。例えば、鉄塔の形状に合わせて下方に至るにつれ幅が広くなる台形状に形成してもよい。また、網地の網目形状は正方形に限定されず、様々なものが可能である。
【００７９】
主繊維は、ポリエステル繊維、ポリエチレン繊維、スーパー繊維などに限定されず、例えば、環境保護の点からリサイクル繊維、ポリ乳酸繊維などを使用することも可能である。
【００８０】
金属線は、銅線に限定されず、導電性を有する様々な金属の線材が可能である。
【００８１】
また、第１の実施形態では、金属配合網糸７の金属線６を共通線８２を介してアース線８に接続したが、これに限定されない。例えば、図６に示すように、共通線８２を省略して各金属配合網糸７の端部から金属線６を引き出し、その金属線６に端子８１を各々設けると共に端子８１にアース線８を各々接続するようにしてもよい。
【符号の説明】
【００８２】
１、１１  ネット（落雪防止ネット）
２  鉄塔（高電圧設備）
３  網地
４  網糸
５  主繊維
６  金属線
７  金属配合網糸
８  アース線
９  導電性網糸
【図１】
2011006996.tif 000005
【図２】
2011006996.tif 000006
【図３】
2011006996.tif 000007
【図４】
2011006996.tif 000008
【図５】
2011006996.tif 000009
【図６】
2011006996.tif 000010